(57)【特許請求の範囲】
【請求項１】
マルチナンバリング機構を使用する移動通信システムのビジター位置レジスタにおいて、
加入者の基本サービスに関連した基本サービスコードと、これらのサービスコードにリンクされるディレクトリ番号とを加入者特有に記憶するための手段を備え、これらのディレクトリ番号及び基本サービスコードは、加入者のホーム位置レジスタから送信されるものであり、そして
コールに関連した基本サービスに対応するディレクトリ番号を移動サービス交換センターに送信するための手段を備え、これらディレクトリ番号は、移動発信コールにおいては発呼加入者のディレクトリ番号として使用され、或いは移動着信コールのコール再送においてはリダイレクト番号として使用されることを特徴とするビジター位置レジスタ。
【請求項２】
ホーム位置レジスタから受け取ったベアラ能力情報エレメントからコールの基本サービスコードを決定するための手段を備える請求項１に記載のビジター位置レジスタ。
【請求項３】
マルチナンバリング機構を使用する移動通信システムにおいて移動着信コールを取り扱う方法において、
第１の移動サービス交換センターへのコールを受け取り、
被呼加入者のディレクトリ番号により指示されたホーム位置レジスタへのルート情報質問を実行し、
ホーム位置レジスタから、上記ディレクトリ番号に基づいて、加入者の全ての基本サービスに共通な移動ネットワークの内部加入者識別と、上記ディレクトリ番号に対応するベアラ能力情報エレメントとを検索し、
ホーム位置レジスタから、被呼加入者が位置するエリアのビジター位置レジスタへ、上記加入者識別及び上記ベアラ能力情報エレメントを含むローミング番号要求を送信し、
コールのためのローミング番号を割り当て、
上記ローミング番号、上記加入者識別及び上記ベアラ能力情報エレメントを記憶し、
上記割り当てられたローミング番号をビジター位置レジスタからホーム位置レジスタへそして更に第１の移動サービス交換センターへ送信し、
上記ローミング番号に基づいて上記コールを第１の移動サービス交換センターから、上記ビジター位置レジスタのエリアにサービスする第２の移動サービス交換センターへルート指定し
その第２の移動サービス交換センターからビジター位置レジスタへ加入者データ質問を実行し、
上記ベアラ能力情報エレメントからビジター位置レジスタにおいてサービスコードを発生し、
上記サービスコードに対応する上記加入者のディレクトリ番号を検索し、このディレクトリ番号は、ホーム位置レジスタから情報を転送するときにビジター位置レジスタに記憶され、
上記ディレクトリ番号を、上記ルート情報質問を実行した第２の移動サービス交換センターへ送信し、そして
上記ディレクトリ番号を、移動発信コール設定信号のコール再送においてリダイレクト番号として設定する、
という段階を備えたことを特徴とする方法。
【請求項４】
上記コール再送が上記コールに対して行われた第１の再送である場合には上記ディレクトリ番号を元の被呼ディレクトリ番号として設定する請求項４に記載の方法。
【請求項５】
マルチナンバリング機構を使用する移動通信システムにおいて移動発信コールを取り扱う方法において、
ベアラサービス情報エレメントを含むコール設定メッセージを移動ステーションから移動サービス交換センターへ送信し、
上記ベアラ能力情報エレメントから移動サービス交換センターにおいて基本サービスコードを発生し、
ビジター位置レジスタへの加入者データ質問を実行し、この質問は、上記基本サービスコードを含むものであり、
上記サービスコードに対応する加入者のディレクトリ番号をビジター位置レジスタにおいて検索し、上記番号は、加入者のホーム位置レジスタから加入者データを転送するときにビジター位置レジスタに記憶され、
上記ディレクトリ番号を移動サービス交換センターに送信し、そして
上記ディレクトリ番号を移動発信コール設定信号において発呼加入者のディレクトリ番号として設定する、
という段階を備えたことを特徴とする方法。
【発明の詳細な説明】
発明の分野
本発明は、いわゆるマルチナンバリング機構を使用し即ち加入者の異なるテレサービスに対して異なる加入者番号を使用する移動通信システムに係る。
先行技術の説明
近代的な移動通信システムは、従来のデータ送信に加えて、加入者に種々様々なデータ転送特徴を提供する。移動通信システムにより提供されるサービスは、一般に、テレサービスとベアラサービスに分類される。ベアラサービスは、ユーザ／ネットワークインターフェイス間に信号を送信することのできるテレコミュニケーションサービスである。ベアラサービスの一例がモデムサービスである。テレサービスにおいては、ネットワークがターミナル装置サービスも提供する。従って、主たるテレサービスの例は、スピーチ、ファクシミリ及びビデオテキストサービスである。
移動加入者は、通常、異なるテレサービス及びベアラサービスを受ける権利を有し、これらを一般にここでは基本サービスと称する。加入者は、例えば、スピーチ、ファクシミリ及びデータサービスにアクセスすることができる。従って、移動着信又は移動発信コールは、これらの基本サービスのいずれかを必要とし、このために、正しいサービスが移動通信ネットワークにアドレスされねばならない。例えば、パン・ヨーロピアン移動通信システムＧＳＭにおいては、移動ステーションにより送信されるコール設定信号は、必要な基本サービスに関する情報を特定のベアラ能力情報エレメントＢＣＩＥに含む。従って、移動ネットワークは、移動発信コールに対し適当な基本サービスを選択することができる。ＩＳＤＮ（サービス統合データ網）から受け取られるコールも、必要なサービスを指示する同様の情報エレメントを含む。しかし、コールが公衆交換電話回線（ＰＳＴＮ）から発信されるか又はこれを経てルート指定される場合は、コールの形式に関する情報が移動通信ネットワークへ送信されない。このような場合には、ネットワークに他の方法でどの基本サービスをコールが必要としているかを通知しなければならない。
上記問題に対する公知の解決策は、移動加入者が、入呼びを受け取ろうとするところのサービスの数に対応する多数のディレクトリ番号を有したマルチナンバリング機構である。ディレクトリ番号は、移動加入者ＩＳＤＮ番号（ＭＳＩＳＤＮ）とも称する。加入者は、例えば、スピーチサービス、ファクシミリサービス及びモデムサービスに対してディレクトリ番号を有する。このマルチナンバリング機構によれば、発呼加入者は、希望するサービスに基づき移動加入者のディレクトリ番号をダイヤルする。パン・ヨーロピアン移動通信ネットワークにおいては、加入者のサービスは、加入者のホーム位置レジスタＨＬＲで決定され、ここには、他の加入者情報も永久的に記憶される。又、ＨＬＲは、ディレクトリ番号と加入者のサービスとの間のマッピングに関する情報を記憶するのにも使用される。ＨＬＲにおいては、コールの形式と、コールに必要なネットワークリソースとを指示する特定のＢＣＩＥエレメントも、ディレクトリ番号（ＭＳＩＳＤＮ）とリンクされる。ＢＣＩＥは、例えば、ＧＳＭ推奨勧告０４．０８、バージョン４．５．０、第４２３−４３１ページに説明されている。又、ＨＬＲは、ＧＳＭネットワーク内に使用されるＩＭＳＩ（国際移動加入者識別）も含む。ある移動加入者は、全ての基本サービスに共通の１つのＩＭＳＩのみを有する。
又、ＧＳＭシステムは、別の位置レジスタ、即ちビジター位置レジスタＶＬＲも有し、加入者がＶＬＲのエリア内に位置するときにＨＬＲに記憶された加入者データの一部分がＶＬＲにコピーされる。
図２は、マルチナンバリング機構を使用するＧＳＭ移動通信システムにおける移動着信コールのコール設定を示す。ステップ１において、コールがネットワークの第１ゲートウェイＭＳＣ（ＧＭＳＣ）に到着する。ＧＭＳＣは、加入者のＨＬＲにルート情報要求（メッセージ２）を送り、このＨＬＲは、加入者のディレクトリ番号ＭＳＩＳＤＮに基づいて決定される。ルート情報要求メッセージ２と共に、加入者のＭＳＩＳＤＮ（及びおそらくはＩＳＤＮ  ＢＣＩＥ＋ＨＬＣ＋ＬＬＣ）も送信される。位置の更新に関連して、加入者が位置しているエリアのＶＬＲに関する情報が、加入者のＨＬＲにおいて更新される。この情報に基づき、ＨＬＲは、ローミング番号要求（メッセージ３）をＶＬＲへ送信する。このローミング番号要求と共に、ＶＬＲには、移動加入者のＩＭＳＩと、被呼ＭＳＩＳＤＮに関連したＢＣＩＥ（又はメッセージ２と共に受け取られたＩＳＤＮ  ＢＣＩＥ）も与えられる。ＢＣＩＥは、例えば、コールに要求されるネットワークリソースを指示するが、基本サービスの形式は直接指示しない。ＶＬＲは、それが受け取ったＢＣＩＥを記憶し、そして移動ステーションローミング番号ＭＳＲＮを割り当てる。ＶＬＲは、割り当てられたローミング番号を応答メッセージ５と共にＨＬＲへ送信する。次いで、ＨＬＲは、メッセージ６においてルート情報を要求したＧＭＳＣにローミング番号を送る。ローミング番号スペースは、ＶＬＲがローミング番号を割り当てたＭＳＣへそのたびにコールをルート指定するように決定される。従って、ＧＭＳＣは、ローミング番号で指示された移動サービス交換センターＭＳＣへ初期アドレスメッセージ７を送信することにより、ローミング番号ＭＳＲＮに基づいてコールを更にルート指定することができる。
初期アドレスメッセージ７を受信した後、ＭＳＣは、ローミング番号分析において、コールが同じＭＳＣのエリア内に着信しそしてそれが更にルート指定されることが意図されないことを検出する。従って、ＭＳＣは、それ自身のＶＬＲから被呼加入者に関するコール設定情報を要求する（メッセージ８）。ＶＬＲは、通常、応答メッセージ９において要求される情報を返送し、この情報は、例えばＢＣＩＥを含む。ＭＳＣが、ＢＣＩＥにより要求されたデータ送信リソースを与えることができる場合は、コール設定信号がＭＳＣとＭＳとの間に搬送される。この信号は、矢印１０及び１１で示されている。
移動通信システムにより提供される補足的なサービスは、加入者によりアクチベートされるコール再送である。コール再送は、無条件のコール再送でよく、この場合には、コールがそのたびに所与の新たな番号へ再送される。この種のコール再送は、通常、ＨＬＲにより行われる。コール再送は、条件付きで行うように決定されてもよく、即ち加入者が通話中の場合に、加入者が応答しないか又は加入者が不在であるようにされる。この種のコール再送手順の場合に、加入者の状態（所在／通話中）又はコール設定の進行に関する情報が必要とされ、従って、それらは、ＶＬＲ／ＭＳＣにより搬送される。
図３を参照して、移動ステーションにサービスする移動サービス交換センターＭＳＣにおいて条件付きコール再送に関連した移動着信コールのコール設定手順を説明する。図３において、コール設定メッセージ、及びステップ１、２、３、４、５、６、７及び８は、図２について上記したものと全く同様である。図３に示すケースにおいてＶＬＲがＭＳＣから加入者データ要求８を受け取ると、ＶＬＲは、例えば、移動ステーションが通話中であることを検出する。次いで、ＶＬＲは、加入者が通話中である場合に移動ステーションが条件付きコール再送をアクチベートしたかどうか加入者データからチェックする。ＶＬＲは、加入者が特定のコール再送番号への条件付きコール再送を有することを検出し、そしてＭＳＣに応答メッセージ９を送信し、ＭＳＣは、与えられた番号にコールを再送するよう指令される。コール再送に関連した信号と共に、元の被呼番号ＯＣＤ及びリダイレクト番号（Redirecting Number）も再送される。ある形式の信号においては、１つの番号のみが送信され、この場合に、番号は、リダイレクト番号である。
ＧＳＭ推奨勧告に基づくシステムにおいては、一次サービスに基づくＭＳＩＳＤＮ即ち一次ＭＳＩＳＤＮのみがＨＬＲからＶＬＲへ送信されるが、マルチナンバリング機構が使用される。この一次ＭＳＩＳＤＮは、通常、スピーチサービスのＭＳＩＳＤＮである。このため、一次ＭＳＩＳＤＮ、通常は、スピーチＭＳＩＳＤＮも、コール再送においてリダイレクト番号およびＯＣＤ指示として送信されるが、再送されるべきコールは、例えば、ファクシミリサービスのＭＳＩＳＤＮ番号へ受け取られる。
移動発信コールに関しても同様の問題が生じる。ＭＳＣは、発呼加入者の発呼ライン識別（ＣＬＩ）フィールドにおいて発呼加入者のＭＳＩＳＤＮ番号のコール設定メッセージを被呼加入者に送信する。ＭＳＣは、ＶＬＲからＭＳＩＳＤＮ番号を受け取るので、ＣＬＩは、現在のところ、一次サービスのＭＳＩＳＤＮ、通常はスピーチＭＳＩＳＤＮによりそのたびに表されるが、コールは、ファクシミリコールとなる。コールされたときにファクシミリが通話中である場合に発呼加入者の番号へコールバックする自動コールバックファクシミリターミナルがある。コールは、発呼加入者の識別ＣＬＩに基づいて行われる。発呼ファクシミリターミナルのＣＬＩが現在スピーチＭＳＩＳＤＮであるときには、被呼ファクシミリターミナルがそのスピーチＭＳＩＳＤＮへコールし、移動ネットワークは、ファクシミリコールではなくスピーチコールを確立する。
発明の要旨
本発明の目的は、マルチナンバリング機構を使用するときに、コールの実際のサービスに対応するディレクトリ番号が発信コール又はリダイレクトされたコールと共に送信されるような移動通信システムを提供する。
これは、マルチナンバリング機構を使用する移動通信システムにおいて本発明のビジター位置レジスタで達成される。ビジター位置レジスタは、
このビジター位置レジスタが、加入者の基本サービスに関連した基本サービスコードと、これらのサービスコードにリンクされるディレクトリ番号とを加入者特有に記憶するように構成され、これらディレクトリ番号及び基本サービスコードは、加入者のホーム位置レジスタから送信されるものであり、そして
ビジター位置レジスタが、コールに関連した基本サービスに対応するディレクトリ番号を移動サービス交換センターに送信するように構成され、これらディレクトリ番号は、移動発信コールにおいては発呼加入者のディレクトリ番号として使用され、或いはビジター位置レジスタにより制御されるコール再送が実行されるところの移動着信コールにおいてはリダイレクト番号として使用されることを特徴とする。
本発明は、更に、マルチナンバリング機構を使用する移動通信システムにおいて移動着信コールを処理するための請求項３に記載の方法にも係る。
本発明は、更に、マルチナンバリング機構を使用する移動通信システムにおいて移動発信コールを処理するための請求項５に記載の方法にも係る。
本発明によれば、加入者の異なる基本サービスにリンクされる全てのディレクトリ番号、及びこれらディレクトリ番号にリンクされるサービスコードは、ホーム位置レジスタからビジター位置レジスタへ送信される。これは、ビジター位置レジスタが、移動サービス交換センターに、コールの基本サービスに基づく正しいディレクトリ番号を与えて、移動発信コールにおいては発呼加入者のディレクトリ番号として、そして移動着信コールにおいてはリダイレクト番号として使用できるようにする。正しいディレクトリ番号を選択するのに使用されるサービスコードは、発信コールにおいては移動サービス交換センターから得られ、或いは着信コールにおいてはホーム位置レジスタから得られたベアラ能力情報エレメントから導出される。
【図面の簡単な説明】
以下、添付図面を参照し、本発明の好ましい実施形態を詳細に説明する。
図１は、移動通信システムの一部分を示す図である。
図２は、ＧＳＭシステムにおける成功裡なコール設定手順を示す図である。
図３は、ＧＳＭシステムにおけるコール再送を含むコール設定手順を示す図である。
図４は、ホーム位置レジスタにおいて加入者のサービスを決定するのに使用されるデータ構造体の原理を示す図である。
図５は、ＨＬＲからＶＬＲへの本発明による加入者のディレクトリ番号の送信を示す信号図である。
図６は、ビジター位置レジスタにおいて加入者のディレクトリ番号及びサービスコードをマップするデータ構造体の原理を示す図である。
図７は、移動発信（ＭＯ）コールのコール設定を示す信号図である。
図８は、ＭＯコールにおいて本発明によるＶＬＲの動作を示すフローチャートである。
図９は、移動着信（ＭＴ）コールのコール設定を示す信号図である。
図１０は、ＭＴコールにおいて本発明によるＶＬＲの動作を示すフローチャートである。
好ましい実施形態の詳細な説明
本発明は、回路交換データ及びスピーチコールが確立される移動通信システムに適している。本発明は、パン・ヨーロピアンデジタル移動通信システムＧＳＭ（移動通信用のグローバルシステム）、及び同様の近代的な移動通信システム、例えば、ＤＣＳ１８００（デジタル通信システム）及びＰＣＮ（パーソナル通信ネットワーク）に特に適している。以下、本発明の好ましい実施形態は、ＧＳＭシステムに関連して説明する。しかしながら、本発明は、これに限定されるものではない。
図１は、ＧＳＭシステムの基本構造を簡単に示すもので、システムの特徴又は他の観点にはあまり注意を払っていない。ＧＳＭシステムは、参考としてここに取り上げるＧＳＭ推奨勧告及び「移動通信用のＧＳＭシステム（The GSM System for Mobile Communications）」、Ｍ．モーリ及びＭ．ポーテット、パライゼウ、フランス、１９９２年、ＩＳＢＮ：２−９５０７１９０−０−０−７に詳細に説明されている。
移動サービス交換センターＭＳＣは、入呼び及び出呼びの交換を取り扱う。これは、公衆交換電話回線ＰＳＴＮの交換機と同様の機能を遂行する。更に、移動通信のみの典型的なタスク、例えば、ネットワークの加入者位置レジスタと協働する加入者位置管理も遂行する。ＧＳＭシステムの加入者位置レジスタは、ホーム位置レジスタＨＬＲと、ビジター位置レジスタＶＬＲである。移動ステーションＭＳは、ベースステーションシステムにより移動サービス交換センターＭＳＣに接続される。ベースステーションシステムＢＳＳは、ベースステーションコントローラＢＳＣ及びベースステーションＢＴＳより成る。複数のベースステーションＢＴＳを制御するのに１つのベースステーションコントローラＢＳＣが使用される。明瞭化のために、図１は、６つのベースステーションＢＴＳ１−ＢＴＳ６が１つのベースステーションコントローラＢＳＣに接続されたベースステーションシステムのみを示す。
上記したように、今日の移動通信システムは、種々のテレサービス及びネットワークサービスをサポートする。ＧＳＭシステムにより提供されるネットワークサービスは、ＧＳＭ推奨勧告０２．０２、バージョン４．２．０に規定されており、そしてテレサービスは、ＧＳＭ推奨勧告０２．０３に規定されている。専用のテレサービスコード及び専用のネットワークサービスコードは、各テレサービス及びネットワークサービスに対しＧＳＭ推奨勧告０９．０２に各々規定されている。電話サービスのための２進テレサービスコードは、０００１０００１であり、そしてファクシミリＧ３の場合は、０１１００００１である。全てのサービスコードは、ここでは、基本サービスコードと称する。
１つの移動加入者は、異なるテレサービス及びネットワークサービスを受ける権利を有し、これらを一般にここでは基本サービスと称する。従って、上記したように、各基本サービスに個々のディレクトリ番号ＭＳＩＳＤＮが与えられるマルチナンバリング機構を使用するのが効果的である。
ＧＳＭシステムにおいては、加入者のサービスは、他の加入者データに関連してホーム位置レジスタＨＬＲにおいて定義される。図４は、１人の加入者に対しｎ個の基本サービスを決定するデータ構造体の原理を例示する。他の加入者は、ＨＬＲに記憶された同様のデータ構造体を有する。各加入者は、移動ネットワーク内の加入者識別として使用される個々のＩＭＳＩ（国際移動加入者識別）を有している。加入者に対して決定されたサービスは、加入者のＩＭＳＩとリンクされる。マルチナンバリング機構の原理によれば、加入者の各サービス１・・・ｎには、個々のディレクトリ番号ＭＳＩＳＤＮ−１・・・ＭＳＩＳＤＮ−ｎが与えられる。１つの基本的なサービスコードＳＣ−１・・・ＳＣ−ｎは、サービスを決定するために各ＭＳＩＳＤＮ番号とリンクされる。基本サービスコードは、上記テレサービス及びネットワークサービスコードの１つである。ベアラ能力情報エレメントＢＣＩＥには複数の値があり、即ち各基本サービスコードＳＣごとに異なるネットワーク要件がある。従って、本発明の好ましい実施形態によれば、加入者により使用されるＧＳＭ  ＢＣＩＥ値を指示するインデックスがＭＳＩＳＤＮ番号とリンクされる。換言すれば、インデックスは、ＧＳＭ  ＢＣＩＥ値のテーブルを指す。ＧＳＭ  ＢＣＩＥは、コールに関連した全てのネットワーク要求に関する情報、例えば、データ転送レート、データビット及びストップビットの数等がＧＳＭシステムにおいて送信されるところの情報エレメントである。インデックスは、２人の加入者が、例えば２４００ｋビット／ｓの同じ基本サービスを受けながら、異なる数のデータビット及びストップビットをもつことができるようにする。ＢＣＩＥは、例えば、ＧＳＭ推奨勧告０４．０４、バージョン４．５．０、第４２３−４３１ページに説明されている。
将来は、上記のＧＳＭ  ＢＣＩＥと並列に、推奨勧告ＥＴＳ３００１０２−１／Ｑ．９３１（ベアラ能力ＩＥ）に規定されたＩＳＤＮ  ＢＣＩＥを使用することが考えられる。この情報エレメントは、コール型の指示には直接接続されず、それ故、それと共に、情報エレメント「高レイヤコンパチビリティ（ＨＬＣ）」又は「低レイヤコンパチビリティ（ＬＬＣ）」が使用される。これらのエレメントは、推奨勧告ＥＴＳ３００１０２−１／Ｑ．９３１  ＨＬＣ及びＥＴＳ３００１０２−１／Ｑ．９３１  ＬＬＣに規定されている。ＩＳＤＮ  ＢＣＩＥ（及びＨＬＣ及び／又はＬＬＣ）は、コール設定メッセージと共に固定ネットワークから移動サービス交換センターへ送信される。
又、ＧＳＭシステムは、別の加入者位置レジスタ即ちビジター位置レジスタＶＬＲも有し、これは、通常、１つの移動サービス交換センターＭＳＣにサービスするデータベースであるが、複数のＭＳＣにサービスしてもよい。ＨＬＲに記憶された加入者データの部分は、加入者がＶＬＲのエリアに位置するときにＶＬＲにコピーされる。現在のＧＳＭシステムでは、図４に示された加入者のサービスの決定は、ＨＬＲからＶＬＲへコピーされない。ＶＬＲには、たとえマルチナンバリング機構が使用されてもリダイレクト又は発呼加入者を識別するために例えばコール再送及び発信コールに使用される１つのＭＳＩＳＤＮしか与えられない。これは、上記の問題を招く。同様に、ＨＬＲによりＶＬＲへ搬送されるローミング番号要求（図２のメッセージ３を参照）においては、ＭＳＩＳＤＮではなくＩＭＳＩ及びＢＣＩＥが転送される。
本発明においては、ＨＬＲは、標準的な加入者データに加えて、基本サービスコードＳＣ−１・・・ＳＣ−ｎにリンクされた加入者の全てのディレクトリ番号ＭＳＩＳＤＮ−１・・・ＭＳＩＳＤＮ−ｎをＶＬＲに与える。換言すれば、ＨＬＲは、ＭＳＩＳＤＮ−１／ＳＣ−１、ＭＳＩＳＤＮ−２／ＳＣ−２等の対を送信する。これは、例えば、ＩＮＳＥＲＴ（挿入）メッセージにおいて行われ、加入者データ及び基本サービスコードのリストが、通常は、図５の信号図に示すように、例えば位置更新に関連して、ＶＬＲへ転送される。本発明によれば、メッセージには、本発明の追加情報のための拡張部が設けられる。ＶＬＲは、情報が１つのメッセージで送られない場合に互いに前後に繰り返される各ＩＮＳＥＲＴメッセージを確認する。標準的なＩＮＳＥＲＴメッセージは、推奨勧告ＧＳＭ０９．０２、バージョン４．９．０、第２８６ページに規定されている。
以下の例Ｉは、ＧＳＭ推奨勧告に基づくＩｎｓｅｒｔＳｕｂｓｃｒｉｂｅｒＤａｔａ（加入者データ挿入）動作のＡＳＮ．１説明を示し、そして例ＩＩは、本発明による拡張を伴うＩｎｓｅｒｔＳｕｂｓｃｒｉｂｅｒＤａｔａ動作を示す。ここに示す解決策は、ＧＳＭ推奨勧告に対し何ら変更を必要としない。別の方法は、例えば、既存のベアラ及びテレサービスリスト内で又はそれに代わって本発明による拡張を実行することであるが、これは、ＧＳＭ推奨勧告に対して変更を必要とする。
例Ｉ
ＩｎｓｅｒｔＳｕｂｓｃｒｉｂｅｒＤａｔａ動作のＧＳＭ推奨勧告０９．０２に基づくＡＳＮ．１の説明：
0003947566.tif 000002
例ＩＩ
ＧＳＭ推奨勧告ＧＳＭ０９．０２は、拡張の使用を許し、これにより、本発明によるＩＮＳＥＲＴメッセージのＡＳＮ．１の説明は、例えば次のようになる。
0003947566.tif 000003
ＶＬＲは、ディレクトリ番号ＭＳＩＳＤＮ−１・・・ＭＳＩＳＤＮ−ｎ及び基本サービスコードＳＣ−１・・・ＳＣ−ｎを加入者のＩＭＳＩと共に記憶する。この目的でＶＬＲにより使用されるデータ構造体の原理が図６に示されている。加入者は、基本サービスコードＳＣ−１・・・ＳＣ−ｎがリンクされるところの１つのＩＭＳＩを有する。各基本サービスコードＳＣ−１・・・ＳＣ−ｎは、対応するディレクトリ番号ＭＳＩＳＤＮ−１・・・ＭＳＩＳＤＮ−ｎとリンクされる。従って、基本サービスコードは、正しいディレクトリ番号ＭＳＩＳＤＮのインデックスとして機能する。従って、移動発信コール（ＭＯ）においては、ＶＬＲは、コールに関連した実際の基本サービスに対応するディレクトリ番号ＭＳＩＳＤＮを移動サービス交換センターＭＳＣに返送する。このＭＳＩＳＤＮは、次いで、ＭＳＣにより発呼加入者の識別子ＣＬＩとして送信される。従って、正しい基本サービスに対応するディレクトリ番号に逆課金コールがなされることがある。同様に、ＶＬＲは、移動着信コール（ＭＴ）の転送を制御するときには、ＭＳＣへ転送されるべきコールの基本サービスに対応するＭＳＩＳＤＮを返送し、次いで、ＭＳＣは、そのＭＳＩＳＤＮをリダイレクト番号及び／又は元の被呼番号ＯＣＤとしてセットする。
以下、図７及び８を参照して、移動発信コールのコール設定を説明する。
図７を参照すれば、移動ステーションＭＳは、ステップ１においてコール設定メッセージＳＥＴＵＰをＭＳＣに送信する。発呼ＭＳは、ＧＳＭ  ＢＣＩＥエレメントに対する転送特徴を決定することによりデータサービスを選択し、これはＳＥＴＵＰメッセージに挿入される。スピーチ及びデータを交番させる場合は、ＳＥＴＵＰメッセージは、２つのＧＳＭ  ＢＣＩＥエレメントを含む。ステップ２において、ＭＳＣは、ＧＳＭ  ＢＣＩＥに含まれた転送特徴からネットワーク又はテレサービスコードＳＣ−ｎを形成し、このコードは、本発明による基本サービスコードである。これは、ＢＣＩＥエレメントの分析に基づく標準的なＭＳＣ機能である。以下、いかに変換を行うかの幾つかの例を述べる。オクテット３におけるＢＣＩＥエレメントの情報転送能力（ＩＴＣ）が例えば０００（ビット１、２及び３）である場合には、電話＝０００１０００１が基本サービスコードとして選択される。ＢＣＩＥエレメントのＩＴＣ値が０１１の場合には、自動ファクシミリＧ３＝０１１０００１０が基本サービスコードとして選択される。上記の分析及び変換は、一例として示すに過ぎない。実際に、変換は、適当な分析により行われてもよい。
その後、ＭＳＣは、丁度形成された基本サービスコードＳＣ−ｎも含むｓｅｎｄ＿ｉｎｆｏ＿ｆｏｒ＿ｏｕｒｇｏｉｎｇ＿ｃａｌｌメッセージをＶＬＲに送ることにより加入者データを要求する（図７のステップ３）。ステップ４では、ＶＬＲは、この種のデータベース質問に関連した標準的な測定を行う。又、ＶＬＲは、各基本サービスコードＳＣを特定のディレクトリ番号ＭＳＩＳＤＮにリンクする図６と同様のデータ構造体も含む。図８を参照すれば、ＶＬＲは、加入者が基本サービスコードＳＣ−ｎに対応する基本サービスを受ける権利があるかどうかチェックする（ステップ８１）。これは、例えば、加入者データが当該基本サービスコードを含むか又はそれに対応するサービスを含むかをチェックする標準的なＶＬＲ機能である。もしそうでない場合には、手順は、図８において直ちに終了し、コール設定は、このような状態に対して決定された方法で続けられる。加入者が基本サービスＳＣ−ｎを受ける権利を有する場合には、ＶＬＲは、図６のデータ構造体から、基本サービスＳＣ−ｎに対応するディレクトリ番号ＭＳＩＳＤＮ−ｎを検索し（ステップ８２）、そしてその検索したＭＳＩＳＤＮ−ｎを例えばｃｏｍｐｌｅｔｅ＿ｃａｌｌメッセージにおいてＭＳＣへ返送する（図８のステップ８３、図７のステップ５）。その後、ＭＳＣは、基本サービスに対応するディレクトリ番号ＭＳＩＳＤＮ−ｎを発呼加入者の識別ＣＬＩとしてセットし（ステップ６）、そしてそれを例えば初期アドレスメッセージＩＡＭにおいて公衆交換電話回線ＰＳＴＮ又はＩＳＤＮネットワークへ送信する。
以下、図９及び１０を参照して、移動着信コールのコール設定を説明する。図９は、図３にほぼ対応する。
図９は、図３の信号にほぼ対応し、参照番号も対応する。明瞭化のため、図９は、信号矢印にメッセージ名を示しておらず、本発明に重要なメッセージの情報内容のみを示している。情報内容は、かぎかっこで示されている。
ステップ１において、ネットワークの第１のＧＭＳＣにコールが到達し、このＧＭＳＣは、ルート情報質問（メッセージ２）を加入者のＨＬＲへ送信し、このＨＬＲは、加入者のディレクトリ番号ＭＳＩＳＤＮ−ｎに基づいて決定される。ルート情報質問メッセージ２と共に、加入者のＭＳＩＳＤＮ番号（及びおそらくはＩＳＤＮ  ＢＣＩＥ＋ＯＬＣ＋ＬＬＣ）も送信される。ＨＬＲは、図４のデータ構造体から、被呼ディレクトリ番号ＭＳＩＳＤＮ−ｎに基づいて加入者のＩＭＳＩ−ｎ及びＧＳＭ  ＢＣＩＥを検索する。ＨＬＲは、次いで、加入者のＩＮＳＩ−ｎと、当該基本サービスに対応するベアラ能力情報エレメントＢＣＩＥ−ｎとを含むローミング要求メッセージ３をＶＬＲに送信する。ステップ４では、ＶＬＲは、コールにローミング番号ＭＳＲＮを与え、そしてこのローミング番号にリンクされた受け取ったＩＭＳＩ及びＢＣＩＥ−ｎを記憶する。ＶＬＲは、これが指定したローミング番号ＭＳＲＮを応答メッセージ５においてＨＬＲへ送る。次いで、ＨＬＲは、ローミング番号ＭＳＲＮを応答メッセージ６においてＧＭＳＣへ送る。ＧＭＳＣは、ＭＳＲＮで指示された移動サービス交換センターＭＳＣに初期アドレスメッセージ７を送信することにより、コールを更にルート指定する。初期アドレスメッセージ７を受け取った後に、ＭＳＣは、ローミング番号の分析において、そのコールが同じＭＳＣのエリア内に着信するものであってそれ以上ルート指定されるべきものでないことを検出する。次いで、ＭＳＣは、それ自身のＶＬＲから、コール設定に対し被呼加入者に関連した情報をメッセージ８で要求する。従って、ＶＬＲは、その通常の動作に加えて、図１０に基づく手順を実行し、基本サービスに対応するディレクトリ番号ＭＳＩＳＤＮ−ｎを得る。図１０において、ＶＬＲは、先ず、ローミング番号ＭＳＲＮに基づいてそのメモリからＩＭＳＩ−ｎ及びＢＣＩＥ−ｎを検索する（ステップ１００）。このＩＭＳＩ−ｎ及びＢＣＩＥ−ｎは、ステップ４において予め記憶されたものである。次いで、ＶＬＲは、ＢＣＩＥ情報エレメントを分析しそしてそれに対応する基本サービスコードＳＣ−ｎを決定する（ステップ１０１）。この分析及び決定は、例えば、図７のステップ２においてＭＳＣにより行われた分析と同様に行うことができる。基本サービスコードＳＣ−ｎを得た後に、ＶＬＲは、図６に示すデータ構造体から、この基本サービスコードに対応するディレクトリ番号ＭＳＩＳＤＮ−ｎを検索する（ステップ１０２）。次いで、ＶＬＲは、基本サービスのこのディレクトリ番号ＭＳＩＳＤＮ−ｎをＭＳＣへ返送する（図１０のステップ１０３、図９のステップ１０）。その後のコール設定中に、コール再送状態が検出され（ステップ１１）、この場合、ＭＳＣは、それがＶＬＲから受け取ったＭＳＩＳＤＮ−ｎをＭＳ発信のコール設定メッセージＩＡＭのリダイレクト番号としてセットする（ステップ１２）。又、この同じＭＳＩＳＤＮ−ｎは、コールが初めて再送される場合には、元の被呼番号ＯＣＤとしてセットされる。
添付図面を参照した以上の説明は、本発明を単に例示するものに過ぎない。本発明は、その細部において、請求の範囲内で種々変更できる。
【図１】
0003947566.tif 000004
【図２】
0003947566.tif 000005
【図３】
0003947566.tif 000006
【図４】
0003947566.tif 000007
【図５】
0003947566.tif 000008
【図６】
0003947566.tif 000009
【図７】
0003947566.tif 000010
【図８】
0003947566.tif 000011
【図９】
0003947566.tif 000012
【図１０】
0003947566.tif 000013